(57)【要約】      （修正有）【課題】回路基板に容易に安定に固着される固持部材を具備する電気コネクタを提供する。【解決手段】本電気コネクタは、導電区域１２が形成される絶縁性本体１０と、絶縁性本体の導電区域に収納される複数の導電端子１１と、絶縁性本体を装着するとともに、複数の支持部２３を含む補強部材２０と、該補強部材に取り付けられる押圧板３０と、補強部材に取り付けられる操作ポール４０と、補強部材に取り付けられるとともに、ネジと、ネジに対応する歯孔が形成されるガスケットとを含む固持部材とを具備する。補強部材の支持部には外へ開口する取付溝２３１が形成される。ネジが水平方向に沿って補強部材の支持部の取付溝に取り付けられる。ガスケットが支持部の上下に係合される。【選択図】図１
0003155964.tif 000002
【実用新案登録請求の範囲】
【請求項１】
導電区域が形成される絶縁性本体と、
絶縁性本体の導電区域に収納される複数の導電端子と、
絶縁性本体を装着するとともに、複数の支持部を含む補強部材と、
補強部材に取り付けられる押圧板と、
補強部材に取り付けられる操作ポールと、
補強部材に取り付けられるとともに、ネジと、ネジに対応する歯孔が形成されるガスケットとを含む固持部材と、
を具備してなり、補強部材の支持部には外へ開口する取付溝が形成され、ネジが水平方向に沿って補強部材の支持部の取付溝に取り付けられ、ガスケットが上下に支持部に係合されることを特徴とする電気コネクタ。
【請求項２】
前記ネジは、前記補強部材の支持部に支持されるヘッド部と、ヘッド部から延在するネック部と、ネック部に設けられるスレッド部とを含み、ネック部の直径寸法がヘッド部の直径寸法より小さいことを特徴とする請求項１に記載の電気コネクタ。
【請求項３】
前記ガスケットは、前記ネジのヘッド部と前記補強部材の支持部との間に配置される上ガスケットを具備することを特徴とする請求項２に記載の電気コネクタ。
【請求項４】
前記ガスケットは下ガスケットを具備し、前記下ガスケットには上向きに延在して前記支持部に係合する複数の係合部が設けられることを特徴とする請求項１に記載の電気コネクタ。
【請求項５】
前記複数の係合部の中の一つの係合部が前記支持部の取付溝に係合することを特徴とする請求項４に記載の電気コネクタ。
【請求項６】
前記下ガスケットは、補強部材の支持部に係合する突出歯と、ネジのネック部に係合する突出部とを有することを特徴とする請求項４に記載の電気コネクタ。
【考案の詳細な説明】
【技術分野】
【０００１】
本考案は、電気コネクタに関し、特に、ＣＰＵが配線基板に電気接続される電気コネクタに関するものである。
【背景技術】
【０００２】
従来技術の電気コネクタは、ＣＰＵのようなチップモジュールが配線基板に電気接続される。電気コネクタは、補強部材と、絶縁性本体と、押圧部材と、操作ポールと、複数の固定部材とを備える。固定部材は、複数のネジと、上係合孔が形成される複数の上ガスケットと、下係合孔が形成される複数の下ガスケットとを備える。補強部材には複数の円形の取付孔が形成される。ネジが上ガスケットの上係合孔と、補強部材の取付孔と、下ガスケットの下係合孔とを、順番に越して係合する。下ガスケットの突出部が補強部材の取付孔を越して上ガスケットの上係合孔と係合する。
【先行技術文献】
【特許文献】
【０００３】
【特許文献１】米国特許第７，４０２，０６５号明細書
【考案の概要】
【０００４】
前記補強部材の取付孔が大きく配置されると、固定部材を補強部材に安定に固着できない。補強部材の取付孔が小さく配置されると、固定部材を補強部材に取付ける操作が複雑になるとともに取付時間が節約できない。
【考案が解決しようとする課題】
【０００５】
そこで本考案は、上述される従来技術の問題に鑑み、回路基板に容易に安定に固着される固持部材を具備する電気コネクタを提供することを目的とする。
【課題を解決するための手段】
【０００６】
前記目的を達成するために、本考案の電気コネクタは、導電区域が形成される絶縁性本体と、絶縁性本体の導電区域に収納される複数の導電端子と、絶縁性本体を装着するとともに、複数の支持部を含む補強部材と、補強部材に取り付けられる押圧板と、補強部材に取り付けられる操作ポールと、補強部材に取り付けられるとともに、ネジと、ネジに対応する歯孔が形成されるガスケットと含む固持部材とを具備する。補強部材の支持部には外へ開口する取付溝が形成される。ネジが水平方向に沿って補強部材の支持部の取付溝に取り付けられる。ガスケットが上下に支持部に係合する。
【考案の効果】
【０００７】
従来技術と比べると、本考案は以下の長所を有する。本考案のネジは、水平方向に沿って補強部材の取付溝の開口から取付溝に係合する。ガスケットが上下方向に沿って補強部材の支持部に取り付けられる。これにより、簡単な操作によって補強部材３０が回路基板に安定に固着される。
【図面の簡単な説明】
【０００８】
【図１】本考案の第１実施形態に係る電気コネクタの分解斜視図である。
【図２】図１に示す電気コネクタの下ガスケットの斜視図である。
【図３】図２に示す下ガスケットを別の角度から見た斜視図である。
【図４】電気コネクタの固持部材が補強部材に取り付けられる斜視図である。
【図５】図４に示す補強部材及び固持部材のＶ―Ｖ線で切断した断面図である。
【図６】図５に一点鎖線で示した部分の拡大図である。
【図７】本考案の第２実施形態に係る電気コネクタの分解斜視図である。
【図８】図７に示す電気コネクタの下ガスケットの斜視図である。
【図９】図７に示す電気コネクタの固持部材が補強部材に取り付けられる斜視図である。
【図１０】図９に示す補強部材及び固持部材のＸ―Ｘ線で切断した断面図である。
【図１１】図１０に一点鎖線で示した部分の拡大図である。
【考案を実施するための形態】
【０００９】
図１〜図６を参照すると、本考案の第１実施形態に係る電気コネクタ１００は、絶縁性本体１０と、絶縁性本体１０を装着する補強部材２０と、絶縁性本体１０を覆う押圧板３０と、補強部材２０に取り付けられる操作ポール４０と、固持部材とを備える。絶縁性本体１０は複数の支持部２３を有する。前記固持部材は、ネジ５０と、支持部２３の上に取り付けられる上ガスケット７０と、支持部２３の下に取り付けられる下ガスケット６０とを備える。
【００１０】
絶縁性本体１０には、導電区域１２と、導電区域１２に挿入される複数の導電端子１１と、導電区域１２を包囲する複数の側壁１３とを備える。
【００１１】
補強部材２０は、ベース部２２と、ベース部２２の中央に形成される開口２１とを備える。ベース部２２は、互いに対向する第１端部２０１と第２端部２０２とを具備する。四つの支持部２３は、ベース部２２の四つの角部に設けられる。支持部２３には、支持部２３の外側に外へ開口する取付溝２３１と、支持部２３の内側に開口２１に向かって開口する係合溝２３３とが形成される。
【００１２】
ネジ５０は、ヘッド部５１と、ヘッド部５１から下向きに延在するネック部５２と、ネック部５２に設けられるスレッド部５３とを含む。ネック部５２の直径寸法は、ヘッド部５１の直径寸法より小さい。
【００１３】
上ガスケット７０には、円形の貫通孔７１が形成される。
【００１４】
図２及び図３に示すように、下ガスケット６０は、上表面６０２と底表面６０１とを具備する。下ガスケット６０には円形の歯孔６１が形成される。下ガスケット６０には、上表面６０２から上向きに突出する一対の係合部６２と、突出部６３と、凸状部片６４とを有する。
【００１５】
押圧板３０は、基部３１と、基部３１から後向きに延在する尾部３４とを含む。
【００１６】
電気コネクタ１００は、絶縁性本体１０が補強部材２０に装入される。操作ポール４０の回転部４２が補強部材１０の第１端部２０１に装着される。押圧板３０が補強部材１０の第２端部２０２に装着される。
【００１７】
図４〜図６に示すように、補強部材２０が回路基板（図示せず）に取り付けられる時、ネジ５０は、順番に上ガスケット７０の貫通孔７１と、下ガスケット６０の歯孔６１とに貫通する。ネジ５０のネック部５２は、水平方向に沿って補強部材２０の取付溝２３１の開口から取付溝２３１に係合する。下ガスケット６０が上下方向に沿って補強部材２０の支持部２３に取り付けられる。下ガスケット６０の凸状部片６４が支持部２３の係合溝２３３に係合し、突出部６３が支持部２３の取付溝２３１に嵌合される。下ガスケット６０の一対の係合部６２が支持部２３の両側に係合する。上ガスケット７０がネジ５０のヘッヘッド部５１と支持部２３の間に位置する。ネジ５０のネック部５２とスレッド部５３とは、回路基板に係合する。
【００１８】
図７〜図１１を参照すると、第２実施状態に係る電気コネクタ１００’は、絶縁性本体１０’と、絶縁性本体１０’を装着する補強部材２０’と、絶縁性本体１０’を覆う押圧板３０’と、補強部材２０’に取り付けられる操作ポール４０’と、ネジ５０’と、支持部２３’の上に取り付けられる上ガスケット６２’と、支持部２３’の下に取り付けられる下ガスケット６１’とを備える。
【００１９】
ネジ５０’は、ヘッド部５１’と、ヘッド部５１’から下向きに延在するネック部５２’と、ネック部５２’に設けられるスレッド部５３’とを含む。ネック部５２’の直径寸法は、ヘッド部５１’の直径寸法より小さい。
【００２０】
上ガスケット６２’には、円形の貫通孔６４’が形成される。
【００２１】
図８に示すように、下ガスケット６１’には円形の歯孔６３’が形成される。下ガスケット６１’には、上表面から上向きに突出する一対の突出部６５’と、突出部６５’の外側に配置される突出歯６６’とを有する。
【００２２】
図９〜図１１に示すように、補強部材２０’が回路基板（図示せず）に取り付けられる時、ネジ５０’は、順番に上ガスケット６２’の貫通孔６４’と、下ガスケット６１’の歯孔６３’とに貫通する。ネジ５０’のネック部５２’は、水平方向に沿って取付溝２３１’の開口から取付溝２３１’に挿入される。下ガスケット６１’の突出部６５’がネジ５０’に係合し、突出歯６５’が支持部２３’の取付溝２３１’に嵌合される。回路基板は、ネジ５０’のネック部５２’とスレッド部５３’の間に挟まれる。
【００２３】
ネジ５０，５０’が上ガスケット７０、６２’及び下ガスケット６０、６１’によって支持部２３に固持される。ネジ５０，５０’のネック部５２，５２’とスレッド部５３、５３’は回路基板に係合する。これにより、簡単な操作によって補強部材２０、２０’が回路基板に安定に固着される。
【００２４】
以上、本考案について好ましい実施形態を参照して詳細に説明したが、実施形態はあくまでも例示的なものであり、これらに限定されるものではない。また上述の説明は、本考案に基づき成し得る細部の修正或いは変更などは、いずれも本考案の技術的範囲に属するものである。
【符号の説明】
【００２５】
１００，１００’  電気コネクタ
１０，１０’  絶縁性本体
１１  導電端子
１２  導電区域
１３  側壁
２０，２０’  補強部材
２０１  第１端部
２０２  第２端部
２１  開口
２２，２２’  ベース部
２３  支持部
２３１，２３１’  取付溝
２３３，２３３’  係合溝
３０，３０’  押圧板
３１  基部
３４  尾部
４０，４０’  操作ポール
４１  連接部
４２  回転部
４３  操作部
５０，５０’  ネジ、
５１，５１’  ヘッド部
５２，５２’  ネック部
５３，５３’  スレッド部
６０，６１’  下ガスケット
６０１  底表面
６０２  上表面
６１，６３’  歯孔
６２  係合部
６３  突出部
６４  凸状部片
７０，６２’  上ガスケット
７１，６４’  貫通孔
６５’  突出部
６６’  突出歯
【図１】
0003155964.tif 000003
【図２】
0003155964.tif 000004
【図３】
0003155964.tif 000005
【図４】
0003155964.tif 000006
【図５】
0003155964.tif 000007
【図６】
0003155964.tif 000008
【図７】
0003155964.tif 000009
【図８】
0003155964.tif 000010
【図９】
0003155964.tif 000011
【図１０】
0003155964.tif 000012
【図１１】
0003155964.tif 000013